(57)【要約】【課題】小型化を図って実装性を良好にしたモジュラジャックの提供。【解決手段】底壁７１と上壁７２と第一側壁７３と第二側壁と背壁７５とでコネクタ収容空間７ａを画成するコネクタ挿入部７と、複数の端子を有する端子部３２と端子部３２の一端側に位置する第一係合部３２Ａとを有する回路部２と、を備え、背壁７５には背壁内面７５Ａと背壁外面７５Ｂとが規定され、背壁内外を連通する端子挿入孔と端子挿入孔の一端側に位置する第一係合部挿入孔７５ｂとが形成され、第一係合部挿入孔７５ｂには背壁７５の肉厚内に位置する第一被係合部７５Ｃが設けられ、第一係合部３２Ａは、回路部２がコネクタ挿入部７に装着された状態で背壁７５の肉厚内に位置し、回路部２は第一係合部３２Ａが第一被係合部７５Ｃに係合してコネクタ挿入部７に装着されているモジュラジャック１を提供する。【選択図】図５
2011258315.tif 000002
【特許請求の範囲】
【請求項１】
底壁と、該底壁と対向する上壁と、該底壁と該上壁との間に位置する第一側壁と、該底壁と該上壁との間に位置すると共に該第一側壁と対向する第二側壁と、該底壁と該上壁との間に位置すると共に該第一側壁と該第二側壁との間に位置する背壁とを有し、該底壁と該上壁と該第一側壁と該第二側壁と該背壁とで囲まれたコネクタ収容空間を画成するハウジングと、
平行かつ一列に整列する複数の端子を有する端子部と、該端子が整列する整列方向において該端子部の一端側に位置する係合部と、を有する端子保持部と、を備え、
該背壁には、該コネクタ収容空間を画成する背壁内面と、該背壁内面に対して反コネクタ収容空間側に位置する背壁外面とが規定され、該背壁内面と該背壁外面とを連通する端子挿入孔と、該端子挿入孔の該第一側壁側と該第二側壁との少なくとも一方に位置する係合部挿入孔とが形成され、該係合部挿入孔には該係合部と係合する被係合部が設けられ、該被係合部は該背壁において該背壁内面と該背壁外面との間に位置し、
該係合部は、該端子保持部が該ハウジングに装着された状態で該背壁内面と該背壁外面との間に位置し、
該端子保持部は、該端子部が該端子挿入孔を貫通して該コネクタ収容空間に露出すると共に該係合部が該被係合部に係合して該ハウジングに装着されていることを特徴とするモジュラジャック。
【請求項２】
該係合部挿入孔は該背壁において該底壁との境界位置に形成され、
該底壁には該コネクタ収容空間を画成する底壁内面と、該底壁内面に対して反コネクタ収容空間側に位置する背壁外面とが規定され、該底壁内面には、該係合部挿入孔と連通し該背壁外面側に開口するガイド溝が形成され、
該係合部には該ガイド溝内に挿入されるガイド部材が設けられていることを特徴とする請求項１に記載のモジュラジャック。
【請求項３】
該ガイド部材は、該端子保持部が該ハウジングに装着された状態で該背壁内面と該背壁外面との間に位置するように該係合部に設けられていることを特徴とする請求項２に記載のモジュラジャック。
【請求項４】
該ガイド部材は、該端子保持部が該ハウジングに装着された状態で該底壁内面と該底壁外面との間に位置するように該係合部に設けられていることを特徴とする請求項２に記載のモジュラジャック。
【請求項５】
該底壁は、該端子保持部が該ハウジングに装着された状態で、該係合部が該底壁内面より該上壁側に位置するように形状化されていることを特徴とする請求項１から請求項４のいずれか一に記載のモジュラジャック。
【請求項６】
該端子保持部は、該ハウジングに装着された状態で該第一側壁に接続される保持部側第一側壁を有し、
該第一側壁には、該底壁から該上壁へと向かう方向と直交するハウジング側係合面を有し、
該端子保持部には、該ハウジングに装着された状態で該ハウジング側係合面と面当接する保持部側係合面を有することを特徴とする請求項１から請求項５のいずれか一に記載のモジュラジャック。
【請求項７】
該ハウジング側係合面は、該底壁側を向く第一ハウジング側係合面と、該上壁側を向く第二ハウジング側係合面とから構成され、
該保持部側係合面は、該第一ハウジング側係合面と面当接する第一保持部側係合面と、該第二ハウジング側係合面と面当接する第二保持部側係合面とから構成されていることを特徴とする請求項６に記載のモジュラジャック。
【請求項８】
該端子保持部には、実装基板に実装される実装端子が設けられていることを特徴とする請求項１から請求項７のいずれか一に記載のモジュラジャック。
【発明の詳細な説明】
【技術分野】
【０００１】
本発明はモジュラジャックに関し、特にモジュラジャックを構成する複数のパーツの係合構造に関する。
【背景技術】
【０００２】
テレビ等の電気機器には、データ通信を行うべくＬＡＮケーブル等が接続されるモジュラジャックが設けられている。このモジュラジャックは特許文献１に示されるように、ＬＡＮケーブル等のコネクタが挿入されるモジュラジャック本体と、コネクタに接続される端子を有する端子モジュールとを有しており、モジュラジャック本体に端子モジュールが装着されて構成されている。
【先行技術文献】
【特許文献】
【０００３】
【特許文献１】特開平０９−１２９２９４号公報
【発明の概要】
【発明が解決しようとする課題】
【０００４】
特許文献１に示される従来のモジュラジャックでは、モジュラジャック本体の側壁部分に端子モジュールと係合する箇所を設けている。このような構成においては、側壁部分が弾性変形してモジュラジャック本体と端子モジュールとが接続されている。側壁部分に係合する箇所が配置されることによりモジュラジャックの幅方向寸法が大きくなり、実装性が劣っていた。よって本発明は、小型化を図って実装性を良好にしたモジュラジャックを提供することを目的とする。
【課題を解決するための手段】
【０００５】
上記課題を解決するために本発明は、底壁と、底壁と対向する上壁と、底壁と上壁との間に位置する第一側壁と、底壁と上壁との間に位置すると共に第一側壁と対向する第二側壁と、底壁と上壁との間に位置すると共に第一側壁と第二側壁との間に位置する背壁とを有し、底壁と上壁と第一側壁と第二側壁と背壁とで囲まれたコネクタ収容空間を画成するハウジングと、平行かつ一列に整列する複数の端子を有する端子部と、端子が整列する整列方向において端子部の一端側に位置する係合部と、を有する端子保持部と、を備え、背壁には、コネクタ収容空間を画成する背壁内面と、背壁内面に対して反コネクタ収容空間側に位置する背壁外面とが規定され、背壁内面と背壁外面とを連通する端子挿入孔と、端子挿入孔の第一側壁側と第二側壁との少なくとも一方に位置する係合部挿入孔とが形成され、係合部挿入孔には係合部と係合する被係合部が設けられ、被係合部は背壁において背壁内面と背壁外面との間に位置し、係合部は、端子保持部がハウジングに装着された状態で背壁内面と背壁外面との間に位置し、端子保持部は、端子部が端子挿入孔を貫通してコネクタ収容空間に露出すると共に係合部が被係合部に係合してハウジングに装着されているモジュラジャックを提供する。
【０００６】
このような構成によると、係合部及び被係合部が、モジュラジャックを構成する上でのデッドスペースに配置される。よって係合部及び被係合部によりモジュラジャックが大型化することが抑制され、小型化することができる。
【０００７】
上記構成のモジュラジャックにおいて、係合部挿入孔は背壁において底壁との境界位置に形成され、底壁にはコネクタ収容空間を画成する底壁内面と、底壁内面に対して反コネクタ収容空間側に位置する背壁外面とが規定され、底壁内面には、係合部挿入孔と連通し背壁外面側に開口するガイド溝が形成され、係合部にはガイド溝内に挿入されるガイド部材が設けられていることが好ましい。
【０００８】
このような構成によると、ガイド溝にガイド部材を挿入しつつハウジングに端子保持部を装着できるため、装着時の位置合わせが容易になる。またガイド溝にガイド部材が挿入されるため、ハウジングへ端子保持部が装着された際の装着性を高めてがたつきを防止することができる。
【０００９】
またガイド部材は、端子保持部がハウジングに装着された状態で背壁内面と背壁外面との間に位置するように係合部に設けられていることが好ましい。
【００１０】
またガイド部材は、端子保持部がハウジングに装着された状態で底壁内面と底壁外面との間に位置するように係合部に設けられていることが好ましい。
【００１１】
これらのような構成によると、ガイド部材がコネクタ収容空間内に突出することが無く、好適にコネクタをコネクタ収容空間内に挿入することができる。
【００１２】
また底壁は、端子保持部がハウジングに装着された状態で、係合部が底壁内面より上壁側に位置するように形状化されていることが好ましい。
【００１３】
このような構成によると底壁を薄肉化することができ、モジュラジャックの小型化を図ることができる。
【００１４】
また端子保持部は、ハウジングに装着された状態で第一側壁に接続される保持部側第一側壁を有し、第一側壁には、底壁から上壁へと向かう方向と直交するハウジング側係合面を有し、端子保持部には、ハウジングに装着された状態でハウジング側係合面と面当接する保持部側係合面を有することが好ましい。
【００１５】
このような構成によると、底壁から上壁に向かう方向におけるハウジングと端子保持部との位置合わせを容易にすることができる。
【００１６】
またハウジング側係合面は、底壁側を向く第一ハウジング側係合面と、上壁側を向く第二ハウジング側係合面とから構成され、保持部側係合面は、第一ハウジング側係合面と面当接する第一保持部側係合面と、第二ハウジング側係合面と面当接する第二保持部側係合面とから構成されていることが好ましい。
【００１７】
このような構成によると、更に容易に、かつ正確に底壁から上壁に向かう方向におけるハウジングと端子保持部との位置合わせを行うことができる。また面当接して接続されるため、ハウジングと端子保持部との間に撓みが発生することが抑制され、がたつきを防止することができる。
【００１８】
また端子保持部には、実装基板に実装される実装端子が設けられていることが好ましい。このような構成によると、実装基板への実装が容易になる。また実装端子と上記端子とのはんだ付けを一度に行うことができ、作業性をよくすることができる。
【発明の効果】
【００１９】
本発明のモジュラジャックによれば、小型化を図って実装性を良好にすることができる。
【図面の簡単な説明】
【００２０】
【図１】本発明の実施の形態に係るモジュラジャックの分解斜視図。
【図２】本発明の実施の形態に係るモジュラジャックにおけるハウジングと端子保持部との分解斜視図。
【図３】本発明の実施の形態に係るモジュラジャックにおけるハウジングの正面図。
【図４】図１のIV-IV線に沿った断面図。
【図５】図３のV-V線に沿った断面図。
【図６】図３のVI-VI線に沿った断面図。
【発明を実施するための形態】
【００２１】
本発明の実施の形態によるモジュラジャックについて、図１から図６に基づき説明する。図１及び図２に示されるモジュラジャック１は、主にハウジングであるコネクタ挿入部７と、端子保持部である回路部２と、フレーム８とから構成され、コネクタ挿入部７に回路部２を装着した状態で、コネクタ挿入部７及び回路部２をフレーム８で覆って構成されている。以下の説明において、回路部２からコネクタ挿入部７に向かう方向を前側として前後方向を定義する。
【００２２】
図２に示されるように、回路部２は、筐体３と、コネクタ側接触端子４と、基板実装端子５と、内部回路基板６とを備えて構成されている。筐体３は、本体部３１と、端子部３２と、保持部側第一側壁である回路部第一側壁３３と、保持部側第二側壁である回路部第二側壁３４とから主に構成されている。本体部３１は、図２に示されるように、コネクタ側接触端子４及び基板実装端子５を保持すると共に、内部回路基板６を担持しており、内部回路基板６を担持している側に向けて開口した箱形状に構成されている。
【００２３】
端子部３２は、本体部３１から前側に向けて突出すると共に、前後方向と直交する方向が幅広となるように設けられている。以下、端子部３２が幅広となっている方向を左右方向と定義する。また前後方向及び左右方向と直交する方向を上下方向と定義し、上下方向において本体部３１に対し端子部３２が偏っている側を下側と定義する。
【００２４】
図３に示されるように端子部３２の左右方向両端は、それぞれ第一係合部３２Ａ、第二係合部３２Ｂを有している。第一、第二係合部３２Ａ、３２Ｂはそれぞれ同形状の鈎爪状に構成されており、その前後方向の長さが後述の背壁７５の肉厚より小さくなるように構成されている。
【００２５】
また端子部３２において、左右方向の両端側（第一、第二係合部３２Ａ、３２Ｂの外側）には、それぞれ第一ガイド部材３２Ｃ、第二ガイド部材３２Ｄが位置している。第一、第二ガイド部材３２Ｃ、３２Ｄは、それぞれ略同形状の前後方向及び左右方向に拡がる平板状を成し、本体部３１から前側に向け端子部３２の左右方向における端縁に沿うように突出して構成されている。また第一、第二ガイド部材３２Ｃ、３２Ｄは、その前端が、第一、第二係合部３２Ａ、３２Ｂの前端より前側に突出するように構成されている。
【００２６】
回路部第一側壁３３と回路部第二側壁３４とは、対象な形状を成しているため、特に言及しない限り回路部第一側壁３３のみ説明する。回路部第一側壁３３は、本体部３１の左右方向一端側に位置しており、本体部３１から上方に向けて延出されて構成されている。回路部第一側壁３３の本体部３１から上方へ延出されている壁部分と、回路部第二側壁３４の本体部３１から上方へ延出されている壁部分とにより、内部回路基板６が収容される空間が規定されている。また回路部第一側壁３３は、左右方向と直交する形状が前側に向けて突出する凸形状を成すように構成されている。この凸部分は、突出面を構成し前後方向と直交する前面と、前面の上端縁及び下端縁に接続され上下方向と直交する上面及び下面から規定されている。凸部分の突出面を形成する前面は、本体部３１の前面と略面一である。また凸部分を形成する上面及び下面は、それぞれ第一保持部側係合面及び第二保持部側係合面である第一回路側係合面３３Ａと、第二回路側係合面３３Ｂとを成している。
【００２７】
コネクタ側接触端子４は、八本の接触端子４１が左右方向に等間隔に整列して配置されて構成されており、その前端が端子部３２の前端から前側に向けて延出されている。この接触端子４１の本数、間隔、位置、形状等は、モジュラジャック１に装着されるコネクタの規格に対応して定められている。
【００２８】
基板実装端子５は、八本の実装端子５１から構成されており、下側に垂下されるように本体部３１の後側に設けられている。基板実装端子５が筐体３に設けられることにより、図示せぬ実装基板へモジュラジャック１を実装する際の実装性が良好になる。また基板実装端子５とコネクタ側端子４とのはんだ付けを一度に行うことができ、作業性をよくすることができる。
【００２９】
内部回路基板６は、図示せぬノイズフィルタ等を有しており、本体部３１上であって回路部第一側壁３３の本体部３１から上方へ延出されている壁部分と、回路部第二側壁３４の本体部３１から上方へ延出されている壁部分との間に配置され、コネクタ側接触端子４と基板実装端子５とに接続されている。内部回路基板６は、上述のように本体部３１上であって、上に開口している部分に配置されているため、外部からアクセスしやすく、図示せぬノイズフィルタ等を後付することも可能である。
【００３０】
コネクタ挿入部７は、底壁７１と、底壁７１と平行かつ対向する上壁７２と、底壁７１と上壁７２とに接続され底壁７１及び上壁７２と略直交する第一側壁７３と、底壁７１と上壁７２とに接続され第一側壁７３と平行かつ対向する第二側壁７４と、底壁７１と上壁７２とに接続されると共に第一側壁７３と第二側壁７４とに接続され、底壁７１と略直交する背壁７５とから主に構成され、これら底壁７１〜背壁７５で囲まれて画成されるコネクタ収容空間７ａを備えている。またコネクタ挿入部７は、底壁７１から上壁７２に向かう方向が上下方向と等しく、第一側壁７３から第二側壁７４に向かう方向が左右方向と等しく、背壁７５からコネクタ収容空間７ａの開口側に向かう方向が前後方向と等しくなるように略直方体に構成されている。このコネクタ挿入部７の寸法は、上下方向の高さが約１０．４６ｍｍ、底壁の肉厚が、厚いところで１．１６ｍｍ、薄いところで０．５ｍ程度になるように構成されている。
【００３１】
背壁７５には、図５に示されるように、コネクタ収容空間７ａを画成する背壁内面７５Ａと背壁内面７５Ａに対して反コネクタ収容空間７ａ側に位置する背壁外面７５Ｂとが規定され、図３及び図４に示されるように、背壁内面７５Ａと背壁外面７５Ｂとに開口する端子挿入孔７５ａ、第一、第二係合部挿入孔７５ｂ、７５ｃが形成されている。これら端子挿入孔７５ａ、第一、第二係合部挿入孔７５ｂ、７５ｃは、それぞれ背壁７５において、底壁７１との境界位置に形成されている。また背壁７５において、背壁外面７５Ｂが回路部２の本体部３１前面と当接することにより、コネクタ挿入部７に対する回路部２の前後方向位置を規定している。
【００３２】
端子挿入孔７５ａは、左右方向において背壁７５の略中心に位置し、左右方向に延びる横孔と、横孔から上方に向けて穿設され左右方向に並ぶ八本のスリットから櫛状に形成されている。このように形成されることにより、端子挿入孔７５ａにおいて横孔位置に端子部３２を挿入し、スリット位置にコネクタ側接触端子４を挿入することができる。
【００３３】
第一、第二係合部挿入孔７５ｂ、７５ｃは、それぞれ端子挿入孔７５ａに対して第一側壁７３側及び第二側壁７４側に位置している。第一、第二係合部挿入孔７５ｂ、７５ｃは左右方向において対象な形状に形成されているため、第一係合部挿入孔７５ｂのみについて説明する。このような位置に第一、第二係合部挿入孔７５ｂ、７５ｃを配置することにより、第一、第二係合部挿入孔７５ｂ、７５ｃ内に第一、第二係合部３２Ａ、３２Ｂを挿入することができる。
【００３４】
図３及び図５に示されるように、第一係合部挿入孔７５ｂ内を画成する壁面において上面には、鈎爪状の第一被係合部７５Ｃが設けられている。この第一被係合部７５Ｃは、背壁７５の肉厚内、即ち背壁内面７５Ａと背壁外面７５Ｂとの間に位置すると共に、第一係合部３２Ａと係合するように配置されている。第一係合部３２Ａは、上述のようにその前後長が背壁７５の肉厚より小さいため、第一被係合部７５Ｃに係合した状態で、背壁７５の肉厚内に収まることができる。即ち第一係合部３２Ａが第一被係合部７５Ｃに係合した状態で、第一係合部３２Ａが背壁内面７５Ａからコネクタ収容空間７ａ内に突出することが防止されている。
【００３５】
底壁７１には、図５に示されるように、コネクタ収容空間７ａを画成する底壁内面７１Ａと底壁内面７１Ａに対して反コネクタ収容空間７ａ側に位置する底壁外面７１Ｂとが規定され、底壁内面７１Ａには、複数の端子挿入溝７１ａと、第一ガイド溝７１ｂ、第二ガイド溝７１ｃとが形成されている。
【００３６】
複数の端子挿入溝７１ａは、図２に示されるように、端子挿入孔７５ａ（図３）の前側に形成されており、端子挿入孔７５ａ内に端子部３２を挿入した際にコネクタ側接触端子４を受けている。第一、第二ガイド溝７１ｂ、７１ｃは、それぞれ第一、第二係合部挿入孔７５ｂ、７５ｃの左右方向における両端側（第一、第二被係合部７５Ｃ、７５Ｄの外側）で、第一、第二係合部挿入孔７５ｂ、７５ｃに連通すると共に、背壁外面７５Ｂ側に開口している。第一、第二ガイド溝７１ｂ、７１ｃは対象な形状を成しているため、特に言及しない限り第一ガイド溝７１ｂのみ説明する。第一ガイド溝７１ｂは、図４及び図６に示されるように溝の内面であって外左右方向における端面が第一ガイド部材３２Ｃに沿うように形成されている。第二ガイド溝７１ｃも第二ガイド部材３２Ｄと沿うように形成されているため、第一、第二ガイド溝７１ｂ、７１ｃ内に第一、第二ガイド部材３２Ｃ、３２Ｄを挿入することにより、コネクタ挿入部７に対する回路部２の左右方向の位置を容易かつ正確に規定することができる。また第一ガイド溝７１ｂは、図５に示されるように溝深さが第一ガイド部材３２Ｃの上下方向における肉厚より大きく成るように形成されている。このように形成されることにより、第一ガイド溝７１ｂ内に挿入された第一ガイド部材３２Ｃが底壁内面７１Ａからコネクタ収容空間７ａ内に突出することが防止される。
【００３７】
また底壁７１は、コネクタ挿入部７に回路部２が装着された状態で、第一係合部３２Ａが底壁内面７１Ａより上方に位置するように薄肉化されている。
【００３８】
第一側壁７３と第二側壁７４とは、対象な形状を成しているため、特に言及しない限り第一側壁７３のみ説明する。第一側壁７３は、その後端部分が背壁外面７５Ｂより後側に位置しており、この後側部分が、左右方向と直交する形状が後側に向けて開口する凹形状を成すように構成されている。この凹部分は、底面を構成し前後方向と直交する前面と、前面の上端縁及び下端縁に接続され上下方向と直交する上面及び下面から形成されている。凹部分の底面を形成する前面は、背壁外面７５Ｂと略面一である。また凸部分を形成する上面及び下面には、それぞれ第一ハウジング係合面及び第二ハウジング側係合面である第一挿入側係合面７３Ａと、第二挿入側係合面７３Ｂとが規定されている。この第一挿入側係合面７３Ａは、コネクタ挿入部７に回路部２が装着された状態で、第一回路側係合面３３Ａと面当接するように構成されている。また第二挿入側係合面７３Ｂは、同様に第二回路側係合面３３Ｂと面当接するように構成されている。このように構成されていることにより、コネクタ挿入部７に対する回路部２の上下方向の位置を容易かつ正確に規定することができる。また凹部と凸部とが係合し、かつ面当接して接続されるため、コネクタ挿入部７と回路部２との間に撓みが発生することが抑制され、がたつきを防止することができる。
【００３９】
また第一側壁７３の内面には、後述のフレーム８のコネクタガイド部８Ａが挿入される溝７３ａが第一側壁７３の前端から後方に向かって前後方向と平行に穿設されている。
【００４０】
上壁７２には、図示せぬコネクタを挿入する際の図示せぬコネクタのクリップが挿入され、係止される空間７２ａ及び係止部７２Ａが備えられている。
【００４１】
フレーム８は、金属板が折り曲げ加工されて構成されており、コネクタ挿入部７に回路部２が装着され一体となった状態で、この一体物の前面、背面、両側面、及び上面を覆うように構成されている。またフレーム８において前面部分には、コネクタ収容空間７ａに連通し、図示せぬコネクタが挿通される開口８ａが形成されている。また開口８ａには、図示せぬコネクタをコネクタ収容空間７ａ内に挿入する際のガイドとなるコネクタガイド部８Ａが設けられている。
【００４２】
モジュラジャック１に挿入される図示せぬコネクタは、規格品であるため、コネクタを収容するコネクタ収容空間７ａ及びコネクタ収容空間７ａ内に突出するコネクタ側接触端子４の形状は、画一的になる。この画一的な形状において、コネクタ側接触端子４の右側及び左側はデッドスペースとなるが、本実施の形態では、このデッドスペースに第一、第二被係合部７５Ｃ、７５Ｄ及び第一、第二係合部３２Ａ、３２Ｂが配置されている。このような構成により、モジュラジャック１が大型化することが抑制され、小型化することができる。
【００４３】
本実施の形態に係るモジュラジャック１は、上述した実施の形態に限られず、特許請求の範囲に記載された範囲で種々の改良や変形が可能である。例えば第一ガイド部材３２Ｃは、第一係合部３２Ａより前側に突出する構成であるが、その先端が第一係合部３２Ａの先端と前後方向において同位置若しくは背壁７５の肉厚内に位置するように構成してもよい。このような構成によると、第一ガイド部材３２Ｃがコネクタ収容空間７ａ内に突出することが無いため、第一ガイド部材３２Ｃの上下方向肉厚を薄くする必要が無くなる。
【００４４】
また第一係合部３２Ａは、その前端が側壁内面７５Ａと略面一となるように構成されているが、これに限らず製造公差内であれば、その先端が側壁内面７５Ａよりも更に内側に位置するように構成してもよい。
【符号の説明】
【００４５】
１・・モジュラジャック  ２・・回路部  ３・・筐体  ４・・コネクタ側接触端子
５・・基板実装端子  ６・・内部回路基板  ７・・コネクタ挿入部
７ａ・・コネクタ収容空間  ８・・フレーム  ８ａ・・開口  ３１・・本体部
３２・・端子部  ３２Ａ・・第一係合部  ３２Ｂ・・第二係合部
３２Ｃ・・第一ガイド部材  ３２Ｄ・・第二ガイド部材  ３３・・回路部第一側壁
３３Ａ・・第一回路側係合面  ３３Ｂ・・第二回路側係合面  ３４・・回路部第二側壁
４１・・接触端子  ５１・・実装端子  ７１・・底壁  ７１Ａ・・底壁内面
７１Ｂ・・底壁外面  ７１ａ・・端子挿入溝  ７１ｂ・・第一ガイド溝
７１ｃ・・第二ガイド溝  ７２・・上壁  ７２Ａ・・係止部  ７２ａ・・空間
７３・・第一側壁  ７３Ａ・・第一挿入側係合面  ７３Ｂ・・第二挿入側係合面
７３ａ・・溝  ７４・・第二側壁  ７５・・背壁  ７５Ａ・・背壁内面
７５Ｂ・・背壁外面  ７５Ｃ・・第一被係合部  ７５Ｄ・・第二被係合部
７５ａ・・端子挿入孔  ７５ｂ・・第二係合部挿入孔  ７５ｃ・・第二係合部挿入孔
【図１】
2011258315.tif 000003
【図２】
2011258315.tif 000004
【図３】
2011258315.tif 000005
【図４】
2011258315.tif 000006
【図５】
2011258315.tif 000007
【図６】
2011258315.tif 000008